(57)【特許請求の範囲】
【請求項１】
画像を表示するための画像表示手段と、
被写体を照射するための発光手段と、
前記表示する画像の平均輝度に応じて前記発光手段の電源を充電するための充電電流を制御する充電電流制御手段とを有し、
前記充電電流制御手段は、前記表示する画像の平均輝度が第１の所定値以下の場合には充電電流を所定の充電電流よりも増やし、第２の所定値以上の場合には充電電流を前記所定の充電電流よりも減らすことを特徴とする撮像装置。
【請求項２】
前記充電電流制御手段は、前記表示する画像の画素値のヒストグラムを演算し、所定の度数の画素値を基に平均輝度を演算し、その平均輝度が第１の所定値以下の場合には充電電流を前記所定の充電電流よりも増やし、第２の所定値以上の場合には充電電流を前記所定の充電電流よりも減らすことを特徴とする請求項１に記載の撮像装置。
【請求項３】
前記充電電流制御手段は、前記表示する画像の平均輝度が第１の所定値より高くかつ第２の所定値より低い場合には充電電流を前記所定の充電電流に設定することを特徴とする請求項１または２に記載の撮像装置。
【請求項４】
画像を表示するための画像表示手段と、
前記表示する画像の平均輝度に応じてクロック周波数を制御するクロック制御手段とを有し、
前記クロック制御手段は、前記表示する画像の平均輝度が第１の所定値以下の場合にはクロック周波数を所定のクロック周波数よりも高くし、第２の所定値以上の場合にはクロック周波数を前記所定のクロック周波数よりも低くすることを特徴とすることを特徴とする撮像装置。
【請求項５】
前記クロック制御手段は、前記表示する画像の画素値のヒストグラムを演算し、所定の度数の画素値を基に平均輝度を演算し、その平均輝度が第１の所定値以下の場合にはクロック周波数を前記所定のクロック周波数よりも高くし、第２の所定値以上の場合にはクロック周波数を前記所定のクロック周波数よりも低くすることを特徴とする請求項４に記載の撮像装置。
【請求項６】
前記クロック制御手段は、前記表示する画像の平均輝度が第１の所定値より高くかつ第２の所定値より低い場合にはクロック周波数を前記所定のクロック周波数に設定することを特徴とする請求項４または５に記載の撮像装置。
【請求項７】
信号処理するための処理手段を有し、
前記クロック制御手段は、前記画像表示手段のクロック周波数および前記処理手段のクロック周波数の少なくとも一方を制御することを特徴とする請求項４ないし６のいずれか１項に記載の撮像装置。
【請求項８】
前記処理手段は、光電変換により画像信号を生成する撮像手段および前記生成された画像信号を処理するための信号処理手段の少なくとも一方であることを特徴とする請求項７に記載の撮像装置。
【請求項９】
画像を表示するための画像表示手段と、
被写体を照射するための発光手段とを有する撮像装置の制御方法であって、
前記表示する画像の平均輝度に応じて前記発光手段の電源を充電するための充電電流を制御する充電電流制御ステップを有し、
前記充電電流制御ステップは、前記表示する画像の平均輝度が第１の所定値以下の場合には充電電流を所定の充電電流よりも増やし、第２の所定値以上の場合には充電電流を前記所定の充電電流よりも減らすことを特徴とする撮像装置の制御方法。
【請求項１０】
画像を表示するための画像表示手段を有する撮像装置の制御方法であって、
前記表示する画像の平均輝度に応じてクロック周波数を制御するクロック制御ステップを有し、
前記クロック制御ステップは、前記表示する画像の平均輝度が第１の所定値以下の場合にはクロック周波数を所定のクロック周波数よりも高くし、第２の所定値以上の場合にはクロック周波数を前記所定のクロック周波数よりも低くすることを特徴とする撮像装置の制御方法。
【発明の詳細な説明】
【技術分野】
【０００１】
本発明は、撮像装置及びその制御方法に関するものである。
【背景技術】
【０００２】
従来よりデジタルカメラやビデオカメラなどの撮像装置において、液晶ディスプレイや有機ＥＬディスプレイの表示手段と、撮影に十分な光量を得るためのストロボ発光手段とを備えたものが種々提案されている。この種のデジタルカメラにおいてはストロボ発光手段のメインコンデンサに充電するために大電流を消費してしまう。そのため、下記の特許文献１で開示されているように、ストロボ充電時には表示装置のバックライトの明るさを暗くし、消費電力を抑える制御を行うものがある。
【０００３】
図１０の従来例の構成図と図１１の従来例のフローに従って説明する。図１０において８０１はＬＣＤ等の表示用のパネル、８０２はパネル８０１を照らすバックライト、８０３はバックライト８０２の明るさを制御するためのバックライト制御部である。
【０００４】
ストロボの充電が必要と判断した場合には（Ｓ９０１）、システム制御部８の制御によりストロボ部１１は充電を開始する（Ｓ９０２）。その際にシステム制御部８は表示部５の構成ブロックであるバックライト制御部８０３を介してバックライト８０２の輝度を低輝度に設定し（Ｓ９０３）、充電が完了するまで充電を続ける（Ｓ９０４）。所定の値まで充電するとシステム制御部８の制御によりストロボ部１１の充電を完了し（Ｓ９０５）、システム制御部８はバックライト制御部８０３を介してバックライト８０２の輝度を元の明るさに戻す（Ｓ９０６）。
【０００５】
また、下記の特許文献２で開示されているように、有機ＥＬディスプレイの輝度制御方法において、映像入力信号に基づいて輝度積算値を算出し、その算出された積算値に応じて映像入力信号の振幅を制御することにより省電力化を図っている方式も報告されている。
【０００６】
【特許文献１】特開２００３−３４８４９７号公報
【特許文献２】特開２００３−２５５９０１号公報
【発明の開示】
【発明が解決しようとする課題】
【０００７】
ところで、上記のようにストロボ充電時にバックライトの明るさを暗くすると、表示が暗くなり撮影の際にはフレーミングがしづらくなることがある。また、有機ＥＬディスプレイの輝度制御の場合も同様であり、表示側の輝度を下げるということは適正な明るさよりも暗くなる方向であり、撮影者には使いにくい状況となってしまうことがあった。
【０００８】
本発明は、上記のような問題を解決するために成されたもので、画像表示手段を備えた撮像装置を低消費電力化し、撮影枚数の向上を図ることを目的とする。
【課題を解決するための手段】
【０００９】
本発明の撮像装置は、画像を表示するための画像表示手段と、被写体を照射するための発光手段と、前記表示する画像の平均輝度に応じて前記発光手段の電源を充電するための充電電流を制御する充電電流制御手段とを有し、前記充電電流制御手段は、前記表示する画像の平均輝度が第１の所定値以下の場合には充電電流を所定の充電電流よりも増やし、第２の所定値以上の場合には充電電流を前記所定の充電電流よりも減らすことを特徴とする。
また、本発明の撮像装置は、画像を表示するための画像表示手段と、前記表示する画像の平均輝度に応じてクロック周波数を制御するクロック制御手段とを有し、前記クロック制御手段は、前記表示する画像の平均輝度が第１の所定値以下の場合にはクロック周波数を所定のクロック周波数よりも高くし、第２の所定値以上の場合にはクロック周波数を前記所定のクロック周波数よりも低くすることを特徴とする。
また、本発明の撮像装置の制御方法は、画像を表示するための画像表示手段と、被写体を照射するための発光手段とを有する撮像装置の制御方法であって、前記表示する画像の平均輝度に応じて前記発光手段の電源を充電するための充電電流を制御する充電電流制御ステップを有し、前記充電電流制御ステップは、前記表示する画像の平均輝度が第１の所定値以下の場合には充電電流を所定の充電電流よりも増やし、第２の所定値以上の場合には充電電流を前記所定の充電電流よりも減らすことを特徴とする。
また、本発明の撮像装置の制御方法は、画像を表示するための画像表示手段を有する撮像装置の制御方法であって、前記表示する画像の平均輝度に応じてクロック周波数を制御するクロック制御ステップを有し、前記クロック制御ステップは、前記表示する画像の平均輝度が第１の所定値以下の場合にはクロック周波数を所定のクロック周波数よりも高くし、第２の所定値以上の場合にはクロック周波数を前記所定のクロック周波数よりも低くすることを特徴とする。
【発明の効果】
【００１０】
表示する画像の輝度に応じて低消費電力化することができる。これにより、撮影枚数を増加させることができる。
【発明を実施するための最良の形態】
【００１１】
（第１の実施形態）
本発明の第１の実施形態について、図１から図５に基づいて説明すると以下のとおりである。
【００１２】
図２は、本実施形態における撮像装置の構成例を示す。本実施形態では撮像装置としてデジタルカメラを例にあげて説明を行う。１は被写体の光学像を撮像部３内の固体撮像素子３に結像させるレンズ、２はシャッター機能を有し、レンズ１を通った光量を制御するための絞りを兼ねた絞り・シャッターである。撮像部３は、固体撮像素子、ＣＤＳ回路、クランプ回路及びＡ／Ｄ変換回路を有する。固体撮像素子は、ＣＣＤセンサー又はＣＭＯＳセンサーであり、光電変換によりレンズ１で結像された被写体光を電気信号として取り込み、画像信号を生成する。ＣＤＳ回路は、固体撮像素子より出力される電気信号のクロックの除去やノイズの軽減するための相関二重サンプリングを行う。クランプ回路は、ＣＤＳ回路の出力信号を後述のタイミング発生部８から供給されるタイミングパルスで所定の基準電圧にクランプする。Ａ／Ｄ変換回路は、クランプ回路の出力の信号をアナログ信号からデジタル信号に変換する。４は表示や記録などをするために撮像部３で生成された画像信号を所望の形式となるように種々の信号処理や変換を行う信号処理部である。５は信号処理部４からの画像信号を受け有機ＥＬ（エレクトロルミネッセンス:electroluminescence）ディスプレイや液晶ディスプレイに表示する表示部である。６は周囲が暗い場合等に被写体を照射するために発光するためのストロボ発光部である。７はレンズ１や絞り・シャッター２を駆動するための光学系駆動部である。８は撮像装置全体の制御及び各種演算を行うシステム制御部である。９は表示部５に表示する表示画像の輝度を演算するための演算部である。１０は画像データの記録又は読み出しを行うための半導体メモリー等の記録媒体である。１１はデジタルカメラのすべてのブロックに電源を供給する電源部である。１２はデジタルカメラの電源をオン、オフするためのメインスイッチである。
【００１３】
次に、本実施形態のデジタルカメラの基本動作を図３のフローチャートを用いて説明する。メインスイッチ１２がオンされると（Ｓ３０１）、電源部１１は動作を開始し、メイン電源およびコントロール系の電源を供給する。モードが撮影または再生かを判断し（Ｓ３０２）、撮影モードであれば、ステップＳ３０３の撮影シーケンスに進む。再生モードであった場合は、ステップＳ３２０の再生シーケンスに進む。再生シーケンスでは、記録媒体１０からデータを一旦信号処理部４に取り込み（Ｓ３２０）、表示のための信号処理を行い、表示部５に画像を表示する（Ｓ３２１）。その後、メインスイッチ１２がオフされるまで画像を表示し、メインスイッチ１２がオフされたら（Ｓ３２２）、画像の表示を中止し電源をオフする。
【００１４】
ステップＳ３０２の判断において撮影シーケンスに入った場合は、光学系駆動部７はＡＦレンズ１のレンズ位置をリセット位置まで駆動し（Ｓ３０３）、固体撮像素子やタイミングパルス発生回路など撮像部３の電源をオンする。システム制御部８の制御により光学系駆動部７からの信号で絞り・シャッター２をまず開放にした後（Ｓ３０４）、測光シーケンスに進む。測光シーケンスでは、撮像部３からの画像データを信号処理部４で処理し、更にシステム制御部８に入力しここで測光値から露出制御値を演算する（Ｓ３０５）。この演算結果に応じてシステム制御部８はプログラム線図により、絞り、シャッタースピードを決定し制御する（Ｓ３０６）。表示モードを確認し（Ｓ３０７）、表示オンのモードであれば表示部５は表示を行う（Ｓ３０８）。次に、ストロボ発光のための充電が必要か判断する（Ｓ３０９）。充電が必要であると判断した場合はストロボ充電シーケンスＳ４００へ移り、その後レリーズスイッチの第１のスイッチがオンされるまで待機する。
【００１５】
第１のスイッチがオンされると（Ｓ３１０）、再び測光シーケンスに入り測光および演算を行い（Ｓ３１１）、その結果に応じてシステム制御部８は再度プログラム線図により、絞り、シャッタースピードを決定し再度制御する（Ｓ３１２）。次に、システム制御部８は撮像部３を通った信号から信号処理部４で高周波成分を取り出し被写体までの距離の演算を行う（Ｓ３１３）。その後、光学系制御部７はレンズ１を駆動して合焦か否かを判断し（Ｓ３１４）、合焦していないと判断したときは再びレンズ１を駆動し測距を行う（Ｓ３１３）。合焦後、レリーズスイッチの第２のスイッチがオンされるまで待機し、第２のスイッチがオンされたら（Ｓ３１５）、静止画の露光を行う（Ｓ３１６）。露光が終了すると、撮像部３を通った画像データは信号処理部４で所望の信号処理を行い、システム制御部８の制御により半導体メモリー等の記録媒体１０に記録される。この時第２のスイッチが押され続けていた場合は（Ｓ３１７）、表示部５に画像を表示し（Ｓ３１８）、第２のスイッチがオフされるまで表示し続け、オフされた時には表示を止めて撮影を終了する。ステップＳ３１７ではじめから第２のスイッチがオフだった場合は、表示は行わずに撮影を終了する。メインスイッチ１２がオフされていなければ（Ｓ３１９）、レリーズスイッチの第１のスイッチが押されるまでのシーケンスを再度行い、レリーズスイッチの第１のスイッチがオンされるまで待機する。メインスイッチ１２がオフされれば（Ｓ３１９）、光学ブロックの各メカは所定の位置に戻りメインの電源を切る。
【００１６】
以下、本発明の第１の実施形態のストロボ充電電流制御の動作について、図１の信号処理部４、表示部５、演算部９、システム制御部８およびストロボ部６の構成図、図４及び図５のストロボ充電シーケンスのフローチャートを用いて説明する。なお、図１に示すストロボ部６は、本実施形態のデジタルカメラに必要な一部分だけを記載している。
【００１７】
図１において図２と同じものについては同じ番号をつけているため説明は省略する。１０１はシステム制御部８の制御を受けて充電電流を制御する充電電流制御部である。１０２はシステム制御部８の制御を受けて充電のオン、オフを行ったり充電電流制御部１０１で設定された値で電源の充電を行う充電回路部である。１０３は充電回路部１０２で充電されたエネルギーを放出して発光する発光部である。１０４は充電回路部１０２の充電電流を電圧として検出し基準電圧と比較する比較器である。１０５は比較器１０４の基準電圧となり充電電流制御部１０１の制御により電圧を可変することができる基準電圧回路である。
【００１８】
次に図１の構成図と図４のフローチャートを用いてストロボ充電時の動作を説明する。ストロボ充電シーケンスに入ると、表示部５で表示するために信号処理部４から出力されている信号は演算部９にも送られ、演算部９で表示画像の輝度を演算する（Ｓ４０１）。ここで行う演算は平均輝度を求める。その後演算の結果はシステム制御部８に送られ、所定値Ｋ１と比較する（Ｓ４０２）。演算結果が所定値Ｋ１以下の場合は表示画像の輝度は低い（暗い）と判断し、システム制御部８の制御により充電電流制御部１０１は充電回路部１０２の充電電流を増やす制御を行う（Ｓ４０３）。このときシステム制御部８は、前記所定値Ｋ１と関連付けられている所定値Ｖ１となるように、基準電圧回路１０５の基準電圧を制御する。これにより、比較器１０４の基準電圧は高くなり、充電回路部１０２の充電電流を増やすことができ、充電時間を短くすることが可能となる。ステップＳ４０２で所定値Ｋ１よりも大きいと判断した場合は更に所定値Ｋ２と比較する（Ｓ４０４）。ここで演算結果が所定値Ｋ２以上の場合は表示画像の輝度は高い（明るい）と判断し、システム制御部８の制御により充電電流制御部１０１は充電回路部１０２の充電電流を減らす制御を行う（Ｓ４０５）。このときシステム制御部８は、前記所定値Ｋ２と関連付けられている所定値Ｖ２となるように、基準電圧回路１０５の基準電圧を制御する。これにより、比較器１０４の基準電圧は低くなり、充電回路部１０２の充電電流を減らすことができ、消費電力を増すことなく最適な充電時間に制御することが可能となる。ステップＳ４０４で演算結果が所定値Ｋ２よりも小さいと判断した場合は、表示画像はほぼ適正レベルにあると判断し、システム制御部８の制御により充電電流制御部１０１は充電回路部１０２を通常の充電電流となるように設定する（Ｓ４０６）。このときシステム制御部８は、通常の所定値となるように、基準電圧回路１０５の基準電圧を制御する。これにより、比較器１０４の基準電圧は通常の設定値Ｖｔｙｐとなり、通常の充電電流で充電が可能となる。以上の説明で挙げた演算部９の結果と比較するための所定値はＫ１、Ｋ２の２値であるが、必ずしも２値である必要はなく、３値以上として更に細かく充電電流の制御を行っても何ら問題はない。逆に、簡単のために所定値を１つとしても問題はない。
【００１９】
充電するための電流値が決定した後に充電を開始し（Ｓ４０７）、所定の充電電圧になるまで充電を行う（Ｓ４０８）。充電電圧が所定のレベルに達したらシステム制御部８の制御により充電回路部は充電を停止し、ストロボの充電を終了する（Ｓ４０９）。
【００２０】
また、演算部９で行う演算は平均輝度を求める前にヒストグラムを求めても良い。ヒストグラムを求めた場合のストロボ充電時の動作を図５のフローチャートを用いて説明する。なお、図４と同じ動作をするものに関しては同じ番号を付した。
【００２１】
ストロボ充電シーケンスに入ると、表示部５で表示するために信号処理部４から出力されている信号は演算部９にも送られ、演算部９で表示画像の画素値のヒストグラムを演算する（Ｓ４５１）。次にそのヒストグラムの結果において所定値Ｈ１以下の度数のデータを削除する（Ｓ４５２）。同様にヒストグラムの結果において所定値Ｈ２以上の度数のデータを削除する（Ｓ４５３）。更には残ったヒストグラムのデータにおいて、所定値Ｄ１を超える度数においてはその値をＤ１とする。つまり度数の最大値をＤ１とする（Ｓ４５４）。このように必要な部分のみのデータを取り出し後に、所定の関数または係数を用いてデータに重み付けを行う（Ｓ４５５）。これにより、リニアでない領域のデータに対しても補正が可能となる。これらヒストグラムにおいて一連の処理を行った後に平均輝度を求める（Ｓ４０１）。ステップＳ４０２以降のフローに関しては図４と同様であるので、説明は省略する。このようにヒストグラムにおいて必要な部分のデータのみを用い更に補正を行った後に平均輝度を求めることにより、より細かな制御をすることが可能となる。
【００２２】
このように、画像表示手段に表示する輝度に応じて充電電流を制御することにより、消費電流を増やすことなく充電時間を短くすることが可能であり、また、最適な充電電流に設定することが可能となる。
【００２３】
以上のように、本実施形態によれば、表示手段に表示する画像の輝度レベルを演算する手段とストロボの充電電流を制御する手段を有する。画像の輝度レベルが高い場合にはストロボの充電電流を少なくし、反対に画像の輝度レベルが低い場合にはストロボの充電電流を多くする。これにより、消費電流を増やすことなく最適な充電時間に設定することが可能となる。また、表示画像の輝度に応じて充電電流を制御することにより消費電力を増やすことなく充電時間を短くすることが可能となる。また、充電電流を制御することにより、低消費電力化し、撮影枚数を増加させることができる。
【００２４】
表示手段を備えるデジタルカメラにおいて、ストロボ充電の際表示の輝度を暗くするため視認性が悪くなるなどの場合があった。第１の実施形態は、表示部（有機ＥＬディスプレイ）に表示している画像の輝度を演算する演算手段とストロボの充電電流を制御する制御手段を有する。ＥＶＦ（電子ビューファインダ）時に表示画像の輝度が低い場合にはストロボの充電電流を増やし、総消費電流を増やすことなく充電時間を短くすることができる。また、表示画像の輝度が高い場合にはストロボの充電電流を減らすことで、総消費電力を一定値以下に抑えることが可能となる。
【００２５】
第１の実施形態は、有機ＥＬディスプレイ等の画像を表示するための画像表示手段と、前記画像表示手段に表示する画像の輝度を演算する表示画像輝度演算手段と、被写体を照射するための発光手段とを有する。充電電流制御手段は、前記発光手段に充電するために充電電流を変えることができ、前記画像表示手段に表示する際表示画像の輝度に応じて充電電流を制御することにより、総消費電力を制御することが可能となる。
【００２６】
また、第１の実施形態は、前記画像表示手段に表示する際表示画像の輝度が低い場合には前記充電電流制御手段により充電電流を増やし、前記画像表示手段に表示する際表示画像の輝度が高い場合には前記充電電流制御手段により充電電流を減らす。これにより、総消費電力を一定にすることが可能となる。
【００２７】
また、第１の実施形態は、前記表示画像輝度演算手段において、ヒストグラムを求め必要なデータのみを抽出し補正を施した後に平均輝度を求めることにより、きめ細かい充電電流の制御を行うことが可能となる。
【００２８】
（第２の実施形態）
本発明の第２の実施形態について、図６から図９に基づいて説明すると以下のとおりである。
【００２９】
図６は本発明の第２の実施形態におけるデジタルカメラの構成図であり、図２と同様の機能に関しては同じ番号を付してあり説明は省略する。１３はシステム制御部８の制御により撮像部３、信号処理部４、表示部５へのクロック周波数を制御するためのクロック周波数制御部である。
【００３０】
図７は本発明の第２の実施形態におけるデジタルカメラの基本動作のフローチャートであり、図３と同様の動作に関しては同じ番号を用いている。図７のフローによると、メインスイッチ１２がオンされると（Ｓ３０１）、電源部１１は動作を開始し、メイン電源およびコントロール系の電源を供給する。モードが撮影または再生かを判断し（Ｓ３０２）、撮影モードであれば、ステップＳ３０３の撮影シーケンスに進む。再生モードであった場合は、ステップＳ３２０の再生シーケンスに進む。再生シーケンスでは、記録媒体１０からデータを一旦信号処理部４に取り込み（Ｓ３２０）、表示のための信号処理を行う。次にクロック制御シーケンスＳ７００に移りクロック周波数を制御する。その後、表示部５に画像を表示し（Ｓ３２１）、メインスイッチ１２がオフされるまで画像の表示を続け、メインスイッチ１２がオフされたら（Ｓ３２２）、画像の表示を中止し電源をオフする。
【００３１】
ステップＳ３０２の判断において撮影シーケンスに入った場合は、光学系駆動部７はＡＦレンズ１のレンズ位置をリセット位置まで駆動し（Ｓ３０３）、固体撮像素子やタイミングパルス発生回路など撮像部３の電源をオンする。システム制御部８の制御により光学系駆動部７からの信号で絞り・シャッター２をまず開放にした後（Ｓ３０４）、測光シーケンスに進む。測光シーケンスでは、撮像部３からの画像データを信号処理部４で処理し、更にシステム制御部８に入力しここで測光値から露出制御値を演算する（Ｓ３０５）。この演算結果に応じてシステム制御部８はプログラム線図により、絞り、シャッタースピードを決定し制御する（Ｓ３０６）。表示モードを確認し（Ｓ３０７）、表示を行うモードであればクロック制御シーケンスＳ７００に移りクロック周波数を制御する。その後表示部５は表示を行う（Ｓ３０８）。次に、ストロボ発光のための充電が必要か判断する（Ｓ３０９）。充電が必要であると判断した場合はストロボ充電の充電を行い（Ｓ６０１）、その後レリーズスイッチの第１のスイッチがオンされるまで待機する。
【００３２】
第１のスイッチがオンされると（Ｓ３１０）、再び測光シーケンスに入り測光および演算を行い（Ｓ３１１）、その結果に応じてシステム制御部８は再度プログラム線図により、絞り、シャッタースピードを決定し再度制御する（Ｓ３１２）。次に、システム制御部８は撮像部３を通った信号から信号処理部４で高周波成分を取り出し被写体までの距離の演算を行う（Ｓ３１３）。その後、光学系駆動部７はレンズ１を駆動して合焦か否かを判断し（Ｓ３１４）、合焦していないと判断したときは再びレンズ１を駆動し測距を行う（Ｓ３１３）。合焦後、レリーズスイッチの第２のスイッチがオンされるまで待機し、第２のスイッチがオンされたら（Ｓ３１５）、静止画の露光を行う（Ｓ３１６）。露光が終了すると、撮像部３を通った画像データは信号処理部４で所望の信号処理を行い、システム制御部８の制御により半導体メモリー等の記録媒体１０に記録される。この時第２のスイッチが押され続けていた場合は（Ｓ３１７）、表示を行うモードであるためクロック制御シーケンスＳ７００に移りクロック周波数を制御する。その後表示部５に画像を表示し（Ｓ３１８）、第２のスイッチがオフされるまで表示し続け、オフされた時には表示を止めて撮影を終了する。ステップＳ３１７ではじめから第２のスイッチがオフだった場合は、表示は行わずに撮影を終了する。メインスイッチ１２がオフされていなければ（Ｓ３１９）、レリーズスイッチの第１のスイッチが押されるまでのシーケンスを再度行い、レリーズスイッチの第１のスイッチがオンされるまで待機する。メインスイッチ１２がオフされれば（Ｓ３１９）、光学ブロックの各メカは所定の位置に戻りメインの電源を切る。
【００３３】
次に図８及び図９のフローチャートに従ってクロック制御シーケンスの動作を説明する。クロック制御シーケンスに入ると、表示部５で表示するために信号処理部４から出力されている信号は演算部９にも送られ、演算部９で表示画像の輝度を演算する（Ｓ７０１）。ここで行う演算は平均輝度を求める。その後演算の結果はシステム制御部８に送られ、所定値Ｋ１と比較する（Ｓ７０２）。演算結果が所定値Ｋ１以下の場合は表示画像の輝度は低いと判断し、システム制御部８の制御によりクロック周波数制御部１３はクロック周波数を早く（高く）するように制御する（Ｓ７０３）。このときシステム制御部８は、前記所定値Ｋ１と関連付けられているクロック周波数である所定値Ｃ１となるように制御する。これにより、システムクロックは早くなり各部の処理スピードが向上することが可能となる。ステップＳ７０２で所定値Ｋ１よりも大きいと判断した場合は更に所定値Ｋ２と比較する（Ｓ７０４）。ここで演算結果が所定値Ｋ２以上の場合は表示画像の輝度は高いと判断し、システム制御部８の制御によりクロック周波数制御部１３はクロック周波数を遅く（低く）するように制御する（Ｓ７０５）。このときシステム制御部８は、前記所定値Ｋ２と関連付けられているクロック周波数である所定値Ｃ２となるように制御する。これにより、システムクロックは遅くなり消費電力を抑えることが可能となる。ステップＳ７０４で演算結果が所定値Ｋ２よりも小さいと判断した場合は、表示画像はほぼ適正レベルにあると判断し、システム制御部８の制御によりクロック周波数制御部１３はクロック周波数を通常のクロック周波数となるように設定する（Ｓ７０６）。以上の説明で挙げた演算部９の結果と比較するための所定値はＫ１、Ｋ２の２値であるが、必ずしも２値である必要はなく、３値以上として更に細かく充電電流の制御を行っても何ら問題はない。逆に、簡単のために所定値を１つとしても問題はない。ステップＳ７０６でクロック周波数を設定後、クロック制御シーケンスを終了する。
【００３４】
また、演算部９で行う演算は平均輝度を求める前にヒストグラムを求めても良い。ヒストグラムを求めた場合のストロボ充電時の動作を図９のフローチャートを用いて説明する。なお、図８と同じ動作をするものに関しては同じ番号を付した。
【００３５】
クロック制御シーケンスに入ると、表示部５で表示するために信号処理部４から出力されている信号は演算部９にも送られ、演算部９で表示画像の画素値のヒストグラムを演算する（Ｓ７５１）。次にそのヒストグラムの結果において所定値Ｈ１以下の度数のデータを削除する（Ｓ７５２）。同様にヒストグラムの結果において所定値Ｈ２以上の度数のデータを削除する（Ｓ７５３）。更には残ったヒストグラムのデータにおいて、所定値Ｄ１を超える度数においてはその値をＤ１とする。つまり度数の最大値をＤ１とする（Ｓ７５４）。このように必要な部分のみのデータを取り出し後に、所定の関数または係数を用いてデータに重み付けを行う（Ｓ７５５）。これにより、リニアでない領域のデータに対しても補正が可能となる。これらヒストグラムにおいて一連の処理を行った後に平均輝度を求める（Ｓ７０１）。ステップＳ７０２以降のフローに関しては図８と同様であるので、説明は省略する。このようにヒストグラムにおいて必要な部分のデータのみで平均輝度を求めることにより、より細かな制御をすることが可能となる。
【００３６】
このように、画像表示手段に表示する輝度に応じてクロック周波数を制御することにより、消費電流を増やすことなく動作させることが可能であり、更には消費電力を少なくすることも可能となる。
【００３７】
以上のように、第２の実施形態では、システムのクロック周波数を制御する制御手段を有することにより、ＥＶＦおよび再生時に表示画像の輝度に応じてシステムクロックを制御することにより、少なくとも総消費電力を一定にすることが可能であり更には省電力化も可能となる。また、クロック周波数を制御することにより、低消費電力化し、撮影枚数を増加させることができる。また、表示画像の輝度に応じて、クロック周波数を高くし、動作を高速にすることができる。
【００３８】
また、第２の実施形態は、有機ＥＬディスプレイ等の画像を表示するための画像表示手段と、前記画像表示手段に表示する画像の輝度を演算する表示画像輝度演算手段と、システムの動作クロック周波数を制御するクロック制御手段とを有する。前記画像表示手段に表示する際表示画像の輝度に応じて前記クロック制御手段によりシステムのクロックを制御することにより消費電力を制御することが可能となる。
【００３９】
また、第２の実施形態は、前記画像表示手段に表示する際表示画像の輝度が低い場合には前記クロック周波数制御手段によりクロック周波数を早くする。前記画像表示手段に表示する際表示画像の輝度が高い場合には前記クロック周波数制御手段によりクロック周波数を遅くする。これにより、総消費電力を一定にすることが可能となる。
【００４０】
また、第２の実施形態は、前記表示画像輝度演算手段において、ヒストグラムを求め必要なデータのみを抽出し補正を施した後に平均輝度を求めることにより、きめ細かいクロック周波数の制御を行うことが可能となる。
【００４１】
なお、上記実施形態は、何れも本発明を実施するにあたっての具体化の例を示したものに過ぎず、これらによって本発明の技術的範囲が限定的に解釈されてはならないものである。すなわち、本発明はその技術思想、またはその主要な特徴から逸脱することなく、様々な形で実施することができる。
【図面の簡単な説明】
【００４２】
【図１】本発明の第１の実施形態のストロボ部を中心としたブロック図である。
【図２】本発明の第１の実施形態のブロック図である。
【図３】本発明の第１の実施形態のフローチャートである。
【図４】本発明の第１の実施形態のストロボ充電のフローチャートである。
【図５】本発明の第１の実施形態のヒストグラムを用いたストロボ充電のフローチャートである。
【図６】本発明の第２の実施形態のブロック図である。
【図７】本発明の第２の実施形態のフローチャートである。
【図８】本発明の第２の実施形態のクロック制御のフローチャートである。
【図９】本発明の第２の実施形態のヒストグラムを用いたクロック制御のフローチャートである。
【図１０】従来のデジタルカメラのバックライト制御部を中心としたブロック図である。
【図１１】従来のデジタルカメラのバックライト制御のフローチャートである。
【符号の説明】
【００４３】
１  レンズ
２  シャッター機能付き絞り
３  撮像部
４  信号処理部
５  表示部
６  ストロボ部
７  光学系駆動部
８  システム制御部
９  演算部
１０  記録媒体
１１  電源部
１２  スイッチ部
１０１  充電電流制御部
１０２  充電回路部
１０３  発光部
１０４  比較器
１０５  基準電圧回路
【図１】
0004636978.tif 000002
【図２】
0004636978.tif 000003
【図３】
0004636978.tif 000004
【図４】
0004636978.tif 000005
【図５】
0004636978.tif 000006
【図６】
0004636978.tif 000007
【図７】
0004636978.tif 000008
【図８】
0004636978.tif 000009
【図９】
0004636978.tif 000010
【図１０】
0004636978.tif 000011
【図１１】
0004636978.tif 000012